【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
第１メッキと、
前記第１メッキとメッキ材料が異なる第２メッキと、
内部に相手側の端子金具を受け入れ可能な筒状の本体部と、
前記本体部の内部に配置された弾性接触片と、
前記本体部の内部に配置された受圧片と、
前記本体部から延出する接続部と、を備え、
前記弾性接触片が、前記受圧片と対向する第１対向面を有し、
前記第１対向面は、前記相手側の端子金具と接触可能であり、前記第１メッキが施された第１メッキ領域を有し、
前記受圧片が、前記弾性接触片と対向する第２対向面を有し、
前記第２対向面は、前記相手側の端子金具と接触可能であり、前記第１メッキが施された第２メッキ領域を有し、
前記接続部が、導電性部材が接続される接続面を有し、
前記接続面は、前記導電性部材と接触可能であり、前記第２メッキが施された第３メッキ領域を有し、
前記第２メッキは、前記第３メッキ領域を含む面の全面に施されている端子金具。
【請求項２】
前記第１メッキは、Ａｇメッキであり、
前記第２メッキは、Ｓｎメッキである請求項１に記載の端子金具。
【請求項３】
前記第１メッキは、前記第１メッキ領域と前記第２メッキ領域とを含む面の全面に施されている請求項１または請求項２に記載の端子金具。
【請求項４】
第１メッキと、
前記第１メッキとメッキ材料が異なる第２メッキと、
内部に相手側の端子金具を受け入れ可能な筒状の本体部と、
前記本体部の内部に配置された弾性接触片と、
前記本体部の内部に配置された受圧片と、
前記本体部から延出する接続部と、を備え、
前記弾性接触片が、前記受圧片と対向する第１対向面を有し、
前記第１対向面は、前記相手側の端子金具と接触可能であり、前記第１メッキが施された第１メッキ領域を有し、
前記受圧片が、前記弾性接触片と対向する第２対向面を有し、
前記第２対向面は、前記相手側の端子金具と接触可能であり、前記第１メッキが施された第２メッキ領域を有し、
前記接続部が、導電性部材が接続される接続面を有し、
前記接続面は、前記導電性部材と接触可能であり、前記第２メッキが施された第３メッキ領域を有し、
前記第１メッキは、前記第３メッキ領域を含む面には施されておらず、前記第２メッキは、前記第１メッキ領域と前記第２メッキ領域とを含む面には施されていない端子金具。
【請求項５】
前記本体部は、対向する第１の端部と第２の端部とを有し、
前記弾性接触片は、前記第２の端部から前記本体部の内部に向かって湾曲する第１の折り返し部を有し、
前記受圧片は、前記第１の端部から前記本体部の内側に向かって湾曲する第２の折り返し部を有し、
前記接続部は、前記第２の端部から延出する請求項１から請求項４のいずれか１項に記載の端子金具。
【請求項６】
第１面と、前記第１面と反対側の第２面を有する金属板材から形成された端子金具であって、
前記第１面に施された第１メッキと、
前記第２面に施され、前記第１メッキとメッキ材料が異なる第２メッキと、
筒状の本体部と、
前記本体部の内部に配置された弾性接触片と、
前記本体部の内部に配置された受圧片と、
前記本体部から延出する接続部と、を備え、
前記本体部は、前記第１メッキが前記本体部の外部に面するように形成されており、
前記弾性接触片は、前記第１メッキが施された第１メッキ領域を有し、
前記受圧片は、前記第１メッキが施された第２メッキ領域を有し、
前記接続部は、前記第２メッキが施された第３メッキ領域を有し、
前記弾性接触片は、前記第１メッキ領域が前記受圧片と対向するように前記本体部から折り返されて形成されており、
前記受圧片は、前記第２メッキ領域が前記弾性接触片と対向するように前記本体部から折り返されて形成されており、
前記第１面は、前記第１メッキ領域と前記第２メッキ領域とを含み、
前記第２面は、前記第３メッキ領域を含む端子金具。
【手続補正２】
【補正対象書類名】明細書
【補正対象項目名】０００６
【補正方法】変更
【補正の内容】
【０００６】
本明細書によって開示される端子金具は、第１メッキと、前記第１メッキとメッキ材料が異なる第２メッキと、内部に相手側の端子金具を受け入れ可能な筒状の本体部と、前記本体部の内部に配置された弾性接触片と、前記本体部の内部に配置された受圧片と、前記本体部から延出する接続部と、を備え、前記弾性接触片が、前記受圧片と対向する第１対向面を有し、前記第１対向面は、前記相手側の端子金具と接触可能であり、前記第１メッキが施された第１メッキ領域を有し、前記受圧片が、前記弾性接触片と対向する第２対向面を有し、前記第２対向面は、前記相手側の端子金具と接触可能であり、前記第１メッキが施された第２メッキ領域を有し、前記接続部が、導電性部材が接続される接続面を有し、前記接続面は、前記導電性部材と接触可能であり、前記第２メッキが施された第３メッキ領域を有し、前記第２メッキは、前記第３メッキ領域を含む面の全面に施されている。
上記の構成において、前記第１メッキは、Ａｇメッキであり、前記第２メッキは、Ｓｎメッキであっても構わない。
上記の構成において、前記第１メッキは、前記第１メッキ領域と前記第２メッキ領域とを含む面の全面に施されていても構わない。
また、本明細書によって開示される端子金具は、第１メッキと、前記第１メッキとメッキ材料が異なる第２メッキと、内部に相手側の端子金具を受け入れ可能な筒状の本体部と、前記本体部の内部に配置された弾性接触片と、前記本体部の内部に配置された受圧片と、前記本体部から延出する接続部と、を備え、前記弾性接触片が、前記受圧片と対向する第１対向面を有し、前記第１対向面は、前記相手側の端子金具と接触可能であり、前記第１メッキが施された第１メッキ領域を有し、前記受圧片が、前記弾性接触片と対向する第２対向面を有し、前記第２対向面は、前記相手側の端子金具と接触可能であり、前記第１メッキが施された第２メッキ領域を有し、前記接続部が、導電性部材が接続される接続面を有し、前記接続面は、前記導電性部材と接触可能であり、前記第２メッキが施された第３メッキ領域を有し、前記第１メッキは、前記第３メッキ領域を含む面には施されておらず、前記第２メッキは、前記第１メッキ領域と前記第２メッキ領域とを含む面には施されていない。
上記の構成において、前記本体部は、対向する第１の端部と第２の端部とを有し、前記弾性接触片は、前記第２の端部から前記本体部の内部に向かって湾曲する第１の折り返し部を有し、前記受圧片は、前記第１の端部から前記本体部の内側に向かって湾曲する第２の折り返し部を有し、前記接続部は、前記第２の端部から延出していても構わない。
また、本明細書によって開示される端子金具は、第１面と、前記第１面と反対側の第２面を有する金属板材から形成された端子金具であって、前記第１面に施された第１メッキと、前記第２面に施され、前記第１メッキとメッキ材料が異なる第２メッキと、筒状の本体部と、前記本体部の内部に配置された弾性接触片と、前記本体部の内部に配置された受圧片と、前記本体部から延出する接続部と、を備え、前記本体部は、前記第１メッキが前記本体部の外部に面するように形成されており、前記弾性接触片は、前記第１メッキが施された第１メッキ領域を有し、前記受圧片は、前記第１メッキが施された第２メッキ領域を有し、前記接続部は、前記第２メッキが施された第３メッキ領域を有し、前記弾性接触片は、前記第１メッキ領域が前記受圧片と対向するように前記本体部から折り返されて形成されており、前記受圧片は、前記第２メッキ領域が前記弾性接触片と対向するように前記本体部から折り返されて形成されており、前記第１面は、前記第１メッキ領域と前記第２メッキ領域とを含み、前記第２面は、前記第３メッキ領域を含む。